(57)【要約】【課題】引き紐を無くして見栄えを良くすると共に、操作性にも優れた警報器を提供する。【解決手段】環境異常を検出するための検知部３を備え、取付面Ｈに固着される本体部１を、該本体部１に結合されたカバー体２で覆う構造の警報器Ａであって、前記本体部１と前記カバー体２とは、対応した係止部４を係止させて、着脱可能に結合されるとともに、前記カバー体２には、押圧スイッチ５を設けるとともに、前記本体部１には、前記押圧スイッチ５を押圧するための突起部６と、弾性支持手段７とを設けており、前記カバー体２を押圧操作したときには、前記突起部６で前記押圧スイッチ７を押圧する一方、前記カバー体２の押圧操作が解除されたときには、前記突起部６を元の位置まで復帰させて前記押圧スイッチ５の押圧を解除する構造にしている。【選択図】図１
2010079461.tif 000002
【特許請求の範囲】
【請求項１】
取付面に固着される本体部と、該本体部を覆うように取り付けたカバー体とよりなり、
前記本体部或いはカバー体には、環境異常を検出するための検知部と、警報停止等の操作を行うための押圧スイッチとを備え、
前記カバー体は、押圧を受けることで本体部方向に移動可能に係止され、前記カバー体を押圧操作したときには、前記押圧スイッチが押し操作される構造にしたことを特徴とする警報器。
【請求項２】
請求項１において、
本体部とカバー体とは、対応した係止部を係止させて結合されるとともに、前記カバー体には、押圧スイッチを設けるとともに、前記本体部には、前記押圧スイッチを押圧するための突起部を設けており、
前記カバー体を押圧操作したときには、前記突起部で前記押圧スイッチを押圧する一方、前記カバー体の押圧操作が解除されたときには、前記突起部を元の位置まで復帰させて前記押圧スイッチの押圧を解除する構造にしたことを特徴とする警報器。
【請求項３】
請求項１において、
本体部は、取付面に固着されるベース部と、環境異常を検出するための検知部を備えたヘッド部とを結合させて構成され、前記本体部をカバー体で覆うように取り付けてなり、
前記ヘッド部には、押圧スイッチを設けるとともに、前記カバー体には、該押圧スイッチを押圧するための突起部を設けており、
前記カバー体を押圧操作したときには、前記突起部で前記押圧スイッチを押圧する一方、前記カバー体の押圧操作が解除されたときには、前記突起部を元の位置まで復帰させて前記押圧スイッチの押圧を解除する構造にしたことを特徴とする警報器。
【請求項４】
請求項３において、
前記ベース部には、前記ヘッド部を挟持して、結合させる挟持片を設けている警報器。
【請求項５】
請求項３又は４の何れかにおいて、
前記カバー体の一端が前記本体部に枢着され、前記カバー体と前記本体部との間には、前記本体部に設けた検知部に空気が流通する空間を形成している警報器。
【請求項６】
請求項１〜５の何れかにおいて、
カバー体を押圧操作したときには、収縮され、前記カバー体の押圧操作が解除されたときには、前記突起部を元の位置まで弾性復帰させて前記押圧スイッチの押圧を解除する弾性支持手段を設けている警報器。
【発明の詳細な説明】
【技術分野】
【０００１】
本発明は、本体部をカバー体で覆うように取り付けた構造の警報器に関する。
【背景技術】
【０００２】
従来から、火災警報器やガス警報器、空気汚れ警報器等のように、環境異常を検出するための検知部を備え、天井や壁等の取付面に固着された本体部を、該本体部に結合されるカバー体で覆う構造の警報器が知られている（例えば、特許文献１参照。）。
【０００３】
このような警報器は、前記検知部によって該検知部周囲の空気の温度や濃度等を検知し、設定された温度や濃度等を超えるなどの環境異常が生じたときには、直ちに前記検知部に連結したブザー等の警報音を鳴らして、周囲に火災やガス漏れ等の危険を知らせるものである。
【０００４】
ところが、これらの警報器は、一般に火災等を未然に防止するために、前記検知部の感度が高く、そのため、例えばタバコや焼魚等の煙等によっても検知部が反応し、誤って警報音を鳴らす場合も多い。
【０００５】
そのため、従来の警報器には、前記警報器の外表面に設けられた点検スイッチを直接押して警報音を解除（オフ状態）し、前記点検スイッチを離せば元の警報状態に復帰できる構造にしたものや、或いは、前記本体部内に警報音をオン、オフ可能なスイッチ部を内装すると共に、このスイッチ部に連動した引き紐を前記警報器の外部に吊り下げることで、誤って警報音を鳴らした場合には、前記引き紐を引き下げて警報音を解除（オフ状態）し、前記引き紐を離せば元の警報状態に復帰できる構造のものがあった。
【特許文献１】特開２００８−５２５５６号
【発明の開示】
【発明が解決しようとする課題】
【０００６】
しかし、従来の警報器には、以下の問題があった。
【０００７】
すなわち、前記点検スイッチを直接押して警報音を解除（オフ状態）する警報器では、前記点検ボタンは、警報器の外表面に設けるための寸法に制限があるために小さくなってしまい、仮に、警報器を天井や高い壁に設置した場合には、前記点検ボタンを棒等で押し操作するのが非常に難しいために、例えば、三脚等を用いて前記点検ボタンを押し操作する必要があり、操作性が悪いという問題があった。
【０００８】
一方、前記引き紐を引き下げて警報音を解除（オフ状態）する警報器では、前記三脚等を用いる必要は無いが、このような警報機では、前記引き紐が常に警報器から垂れ下がった状態で設置されているため、近年のデザイン化された建築内装には適応し難く、見栄えが悪いという問題があった。
【０００９】
本発明は、かかる課題を解決することを目的とし、警報器の引き紐を無くして見栄えを良くすることができ、更に、操作性にも優れた警報器を提供する。
【課題を解決するための手段】
【００１０】
前記目的を達成するため、
請求項１に係る警報器は、取付面に固着される本体部と、該本体部を覆うように取り付けたカバー体とよりなり、前記本体部或いはカバー体には、環境異常を検出するための検知部と、警報停止等の操作を行うための押圧スイッチとを備え、前記カバー体は、押圧を受けることで本体部方向に移動可能に係止され、前記カバー体を押圧操作したときには、前記押圧スイッチが押し操作される構造にしたことを特徴とする。
【００１１】
請求項２に係る警報器は、請求項１において、本体部とカバー体とは、対応した係止部を係止させて結合されるとともに、前記カバー体には、押圧スイッチを設けるとともに、前記本体部には、前記押圧スイッチを押圧するための突起部と、弾性支持手段とを設けており、前記カバー体を押圧操作したときには、前記突起部で前記押圧スイッチを押圧する一方、前記カバー体の押圧操作が解除されたときには、前記突起部を元の位置まで復帰させて前記押圧スイッチの押圧を解除する構造にしている。
【００１２】
請求項３に係る警報器は、請求項１において、本体部は、取付面に固着されるベース部と、環境異常を検出するための検知部とを結合させて構成され、前記本体部をカバー体で覆うように取り付けてなり、前記ヘッド部には、押圧スイッチを設けるとともに、前記カバー体には、該押圧スイッチを押圧するための突起部と、弾性支持手段とを設けており、前記カバー体を押圧操作したときには、前記突起部で前記押圧スイッチを押圧する一方、前記カバー体の押圧操作が解除されたときには、前記突起部を元の位置まで復帰させて前記押圧スイッチの押圧を解除する構造にしている。
【００１３】
請求項４に係る警報器は、請求項３において、前記ベース部には、前記ヘッド部を挟持して、結合させる挟持片を設けている。
【００１４】
請求項５に係る警報器は、請求項３又は４の何れかにおいて、前記カバー体の一端が前記本体部に枢着され、前記カバー体と前記本体部との間には、前記本体部に設けた検知部に空気が流通する空間を形成している。
【００１５】
請求項６に係る警報器は、請求項１〜５の何れかにおいて、カバー体を押圧操作したときには、収縮され、前記カバー体の押圧操作が解除されたときには、前記突起部を元の位置まで弾性復帰させて前記押圧スイッチの押圧を解除する弾性支持手段を設けている。
【発明の効果】
【００１６】
本発明によれば、次のような効果がある。
【００１７】
請求項１に係る警報器によれば、カバー体を押圧操作するだけで、押圧スイッチを押し操作できるため、従来のような引き紐を不要にして見栄えを良くすることができると共に、カバー体を押圧するだけの簡易な操作なので、操作性にも優れている。
【００１８】
請求項２、３に係る警報器によれば、カバー体を押圧操作するだけで、突起部で押圧スイッチを押圧することができ、一方、前記カバー体から手を離せば、カバー体及び押圧スイッチは、元の位置まで復帰され、前記押圧スイッチの押圧を解除できる。
【００１９】
そのため、従来のような引き紐を不要にして見栄えを良くすることができると共に、カバー体を押圧するだけの簡易な操作なので、操作性にも優れている。
【００２０】
請求項４に係る警報器によれば、ベース部には、ヘッド部を挟持して、結合させる挟持片を設けているので、前記ベース部からカバー体付きの本体部を取り外して容易に内部点検や電池の入れ替え等を容易に行うことができる。
【００２１】
請求項５に係る警報器によれば、カバー体の一端が本体部に枢着され、前記カバー体と前記本体部との間には、前記本体部に設けた検知部に空気が流通する空間を形成しているので、前記検知部が煙の流入や、温度検知を確実に感知できる。
【００２２】
請求項６に係る警報器によれば、カバー体を押圧操作したときには、収縮され、前記カバー体の押圧操作が解除されたときには、前記突起部を元の位置まで弾性復帰させて前記押圧スイッチの押圧を解除する弾性支持手段を設けているので、前記カバー体から手を離せば、該カバー体は、弾性支持手段によって元の位置まで確実に弾性復帰されるため、更に操作性を高めることができる。
【発明を実施するための最良の形態】
【００２３】
以下、本発明に係る警報器Ａを図面とともに説明する。
【実施例１】
【００２４】
図１（ａ），（ｂ）は、本発明に係る警報器Ａの一実施例を示した動作状態を示す断面図であり、（ａ）は押圧スイッチのオフ状態を示し、（ｂ）は押圧スイッチのオン状態を示している。
【００２５】
この警報器Ａは、取付面Ｈに固着される本体部１と、該本体部１を覆うように取り付けたカバー体２とよりなり、本体部１或いはカバー体２には、環境異常を検出するための検知部３と、警報停止等の操作を行うための押圧スイッチ５とを備え、カバー体２は、押圧を受けることで本体部１方向に移動可能に係止され、カバー体２を押圧操作したときには、押圧スイッチ５が押し操作される構造にしてなり、具体的には、環境異常を検出するための検知部３をカバー体２の内部に備え、天井等の取付面Ｈに固着される本体部１を、該本体部１に結合されたカバー体２で覆う構造にした火災報知器、ガス警報器、空気汚れ警報器等の各種警報器として採用できる。
【００２６】
又、これら本体部１とカバー体２とは、対応した係止部４を係止させて、着脱可能に結合されるとともに、カバー体２には、押圧スイッチ５を設けるとともに、本体部１には、押圧スイッチ５を押圧するための突起部６と、弾性支持手段７とを設けている。
【００２７】
以下、各部材について詳説する。
【００２８】
本体部１は、天井等の取付面Ｈに密着する取付板１１の周囲に、下方に向けて壁部１２を突設した有底筒状に形成している。なお、本体部１の形状は、円筒形、多角形等の何れでも良く、その形状には限定されない。
【００２９】
取付板１１の略中央には、下方に向けて棒状の突起部６が突設され、この突起部６には、コイルバネ等の弾性支持手段７を外挿している。
【００３０】
又、取付板１１の適所には、本体部１を取付面Ｈにネジ１３等で固定するための取付孔１４を開設している。
【００３１】
壁部１２の下端には、内方に向けて突出した係止爪４ａを形成し、この係止爪４ａとカバー体２側に形成した係止爪４ｂの両者によって係止部４を構成し、これら係止爪４ａ、４ｂの係脱によって、本体部１とカバー体２を着脱可能にしている。
【００３２】
壁部１２の適所には、通気穴１２ａを開設しており、この通気穴１２ａを通じて、本体部１内に外気をスムーズに通気することができ、本体部１内に配設された検知部３によって、外気の環境異常を検出可能にしている。
【００３３】
一方、カバー体２は、円弧状に形成した下面部２１の周囲に、上方に向けて壁部２２を立設すると共に、この壁部２２の上端から内側に凹んだ段部２２ａを介して更に上方に向けて壁部２２を延設し、この壁部２２の上端には、外側に向けて係止爪４ｂを突設している。なお、カバー体２の形状は、本体部１と同様、その形状には限定されない。
【００３４】
又、本実施例では、カバー体２が本体部１を下方から完全に覆い隠すような構造の警報器Ａを例示しているが、このようにカバー体２が本体部１を完全に覆い隠す構造でなくても、例えば、カバー体２が本体部１の一部を覆うような構造であっても構わない。
【００３５】
カバー体２の内部には、各種機器を内装しており、本実施例では、カバー体２の内底に警報音を鳴動するスピーカー又はブザー８等を内装し、このブザー８等の上位には、電池等のバッテリー部９に連結された基板９ａを配設している。
【００３６】
そして、この基板９ａ上には、環境異常を検出するための検知部３が設置されると共に、突起部６と対応する位置には、スイッチ部５１を上方に向けて押圧スイッチ５を配置している。
【００３７】
なお、基板９ａには、検知部３からの検知信号に基づいて、警報信号を発生させる制御部（図示せず）等を設置している。
【００３８】
又、カバー体２の上面は、板状の蓋体１０で略閉止しており、この蓋体１０には、スイッチ部５１の鉛直位置に、棒状の突起部６が貫通可能な貫通孔１０ａを開設している。
【００３９】
更に、蓋体１０には、基板９ａ上に立設された検知部３が貫通可能な貫通窓１０ｂを開設し、この貫通窓１０ｂから検知部３を突出させて、外気の環境異常を検出可能にしている。
【００４０】
なお、電池等のバッテリー部９に対応する位置には、バッテリー部９を取替えるための開口部１０ｃを開設している。
【００４１】
以上のように構成した警報器Ａは、天井等の取付面Ｈの適所に、ネジ１３等によって本体部１を固定したうえで、カバー体２を、本体部１の下方から押し込めば、カバー体２に突出した係止爪４ｂが、本体部１の係止爪４ａを開放しながら内嵌されて、本体部１とカバー体２を一体化できる。
【００４２】
又、係止爪４ｂをスムーズに内嵌すると共に、内嵌したカバー体２が本体部１から抜け外れることを防止するため、係止爪４ａ、４ｂは、図例のように逆方向の矢先状に形成しておくのが好ましい。
【００４３】
このようにして取り付けた警報器Ａは、環境異常が生じたときには、直ちに検知部３に連結したブザー８等の警報音を鳴らして、周囲に火災やガス漏れ等の危険を知らせることができる。
【００４４】
一方、誤って警報音を鳴らした場合等のように、前記警報音を解除（オフ状態）したければ、図１（ａ）に示すように、下方からカバー体２を押圧操作すれば、図１（ｂ）に示すように、弾性支持手段７が、カバー体２の蓋体１０で収縮されて付勢すると共に、押圧スイッチ５のスイッチ部５１が、突起部６の先端で押し込まれて押圧スイッチ５がオン状態となり、警報音を簡単に解除できる。
【００４５】
そして、カバー体２の押圧操作を解除すれば、突起部６が弾性支持手段７の弾性復元力によって、図１（ａ）に示すように、元の位置まで復帰されて、押圧スイッチ５の押圧を解除したオフ状態となり、再度、火災やガス漏れ等の危険を検知できるのである。
【００４６】
なお、本実施例では、弾性支持手段７の弾性復元力によってカバー体２が元の位置まで復帰される構造の警報器Ａを例示しているが、この弾性支持手段７を設けることなく、例えば、カバー体２の自重によってカバー体２が元の位置まで復帰されてスイッチ５の押圧が解除される構造の警報器Ａであっても構わない。
【００４７】
又、本実施例では、カバー体２を押圧操作すれば、押圧スイッチ５が押圧されてオン状態となり、カバー体２の押圧操作を解除すれば、押圧スイッチ５の押圧が解除されてオフ状態となる押圧スイッチ５について説明したが、押圧スイッチ５を押圧する毎にオン、オフ状態が交互に切り替わるものでも構わない。
【実施例２】
【００４８】
図２は、本発明に係る警報器Ａの他の実施例を示した分解斜視図である。図３（ａ），（ｂ）は、図２で示した警報器Ａの動作状態を示す断面図であり、（ａ）は押圧スイッチのオフ状態を示し、（ｂ）は押圧スイッチのオン状態を示している。
【００４９】
本実施例の警報器Ａは、取付面Ｈに固着されるベース部１ａに、環境異常を検出するための検知部３を備えたヘッド部１ｂを結合させて本体部１を構成し、該本体部１をカバー体２で覆う構造にした、所謂三ピース構造の警報器Ａであって、ヘッド部１ｂには、押圧スイッチ５を設けるとともに、カバー体２には、押圧スイッチ５を押圧するための突起部６と、弾性支持手段７とを設けている。
【００５０】
ここで、図１と共通する部位には、同一の符号を付して、重複する説明は省略し、以下では本実施例の特徴についてのみ説明する。
【００５１】
すなわち、本実施例の本体部１は、ベース部１ａとヘッド部１ｂによって構成され、天井等の取付面Ｈにベース部１ａをネジ１３等によって固定すると共に、このベース部１ａにヘッド部１ｂを着脱可能にしている。
【００５２】
具体的には、ベース部１ａの両側端には、ヘッド部１ｂを挟持して、結合させる略Ｌ状の挟持片１５を下設しており、これら挟持片１５の先端部１５ａが、ヘッド部１ｂの内壁に形成された受溝１６にスライドして嵌合し、ベース部１ａとヘッド部１ｂを結合可能な構造にしている。なお、挟持片１５の先端部１５ａを、ヘッド部１ｂの受溝１６から逆方向にスライドして離脱すれば、ベース部１ａとヘッド部１ｂを分離できることは勿論である。
【００５３】
そのため、取付面Ｈに固定されたベース部１ａを取外すことなく、カバー２を装着した本体部１ｂだけを容易に取り外すことができ、本体部１の点検や修理等を容易に行うことができるうえ、特に、電池等のバッテリー９の入れ替えなどを簡単に行うことができる。
【００５４】
又、ヘッド部１ａには、基板９ａが内装され、この基板９ａには、スイッチ部５１を下方に向けて押圧スイッチ５を設けている。
【００５５】
更に、基板９ａには、検知部３が下方に向けて突設されており、貫通窓１０ｂを通じて検知部３をヘッド部１ｂよりも下方に突出させて外気の環境異常を検出可能にしている。なお、電池等のバッテリー９、ブザー８等の各部材もヘッド部１ｂに内装している。
【００５６】
カバー体２は、略板状に形成され、その一端を本体部１に枢着させて、カバー体２と本体部１との間に、本体部１に設けた検知部３に空気が流通する空間Ｓを形成している。
【００５７】
そのため、この空間Ｓを通じて検知部３が外気と確実に接触して、周囲の環境異常を確実に検知できる。
【００５８】
又、本実施例で示すように、ヘッド部１ｂ及びカバー体２の一端に各々軸受部２５を形成し、両軸受部２５にリベット等の軸部材（不図示）を貫通すれば、カバー体２が前記軸部材（不図示）を中心にして回動可能となり、カバー体２の一端をヘッド部１ｂの一端に枢着できる。
【００５９】
一方、カバー体２の他端には、係止爪４ｂ’を上方に向けて立設すると共に、この係止爪４ｂ’に係脱自在な係止爪４ａ’をヘッド部１ｂの他端側に形成し、これら係止爪４ａ’、４ｂ’によって、カバー体２の下方向への回動を規制している。
【００６０】
又、カバー体２には、ヘッド部１ｂ内に設けたスイッチ部５１の鉛直位置に、棒状の突起部６を立設し、この突起部６にコイルバネ等の弾性支持手段７を外挿している。
【００６１】
なお、ヘッド部１ｂの下面には、棒状の突起部６が貫通可能な貫通孔１０ａを開設している。
【００６２】
以上のように構成した警報器Ａは、天井等の取付面Ｈの適所に、ネジ１３等によってベース部１ａを固定したうえで、該ベース部１ａの挟持片１５に向けて、ヘッド部１ｂの受溝１６をスライドして嵌合するだけで、ヘッド部１ｂをベース部１ａに一体化させて簡単に取り付けできる。
【００６３】
このようにして取り付けた警報器Ａは、環境異常が生じたときには、直ちに検知部３に連結したブザー８等の警報音を鳴らして、周囲に火災やガス漏れ等の危険を知らせることができる。
【００６４】
一方、誤って警報音を鳴らした場合等のように、前記警報音を解除（オフ状態）したければ、図３（ａ）に示すように、下方からカバー体２を押圧操作すれば、図３（ｂ）に示すように、弾性支持手段７が、カバー体２とヘッド部１ｂとで収縮されて付勢すると共に、押圧スイッチ５のスイッチ部５１が、突起部６の先端で押し込まれて押圧スイッチ５がオン状態となり、警報音を簡単に解除できる。
【００６５】
そして、カバー体２の押圧操作を解除すれば、突起部６が弾性支持手段７の弾性復元力によって、図３（ａ）に示すように、元の位置まで復帰されて、押圧スイッチ５の押圧を解除したオフ状態となり、再度、火災やガス漏れ等の危険を検知できるのである。
【００６６】
なお、本実施例では、弾性支持手段７の弾性復元力によってカバー体２が元の位置まで復帰される構造の警報器Ａを例示しているが、この弾性支持手段７を設けることなく、例えば、カバー体２の自重によってカバー体２が元の位置まで復帰されてスイッチ５の押圧が解除される構造の警報器Ａであっても構わない。
【００６７】
以上、実施例１、２で説明した通り、本発明の警報器Ａによれば、カバー体２を押圧操作するだけで、突起部６で押圧スイッチ５を押圧することができ、一方、カバー体２から手を離せば、カバー体２及び押圧スイッチ５は、弾性支持手段７によって元の位置まで弾性復帰され、押圧スイッチ５の押圧を解除できる構造にしている。
【００６８】
そのため、従来のような引き紐を不要にして警報器Ａ全体の見栄えを良くすることができ、更に、カバー体２を押圧するだけで、押圧スイッチ５のオン、オフ操作を行うことができ、操作性にも優れている。
【００６９】
以上の通り、本発明によれば、本体部１を覆うカバー体２全体が押圧スイッチ５を押し操作する操作スイッチとなるため、押し操作が非常に容易になり、高所に取り付けられた場合でも、例えば、棒で突いたり、物を投げ当てることで容易に押し操作でき、美観を損ねる引き紐を設ける必要もない。
【００７０】
特に、実施例１、２の形状では、警報器Ａの前面（下面）全体を押し操作できる構造であるため、操作スイッチの操作面を最大限大きくすることができ、操作しやすくなる。
【図面の簡単な説明】
【００７１】
【図１】（ａ），（ｂ）は、本発明に係る警報器Ａの一実施例を示した動作状態を示す断面図であり、（ａ）は押圧スイッチのオフ状態を示し、（ｂ）は押圧スイッチのオン状態を示している。
【図２】本発明に係る警報器Ａの他の実施例を示した分解斜視図である。
【図３】図２で示した警報器Ａの動作状態を示す断面図であり、（ａ）は押圧スイッチのオフ状態を示し、（ｂ）は押圧スイッチのオン状態を示している。
【符号の説明】
【００７２】
Ａ    警報器
Ｈ    取付面
Ｓ    空間
１    本体部
１ａ  ベース部
１ｂ  ヘッド部
１５  挟持片
２    カバー体
３    検知部
４    係止部
５    押圧スイッチ
６    突起部
７    弾性支持手段
【図１】
2010079461.tif 000003
【図２】
2010079461.tif 000004
【図３】
2010079461.tif 000005